【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
トランスＣＨＦ２ＣＦ＝ＣＣｌＨ（１２３３ｙｄＥ）、シスＣＨＦ２ＣＦ＝ＣＣｌＨ（１２３３ｙｄＺ）、トランスＣＨＦ２ＣＨ＝ＣＣｌＦ（１２３３ｚｂＥ）、シスＣＨＦ２ＣＨ＝ＣＣｌＦ（１２３３ｚｂＺ）、トランスＣＨＦ２ＣＣｌ＝ＣＨＦ（１２３３ｘｅＥ）、シスＣＨＦ２ＣＣｌ＝ＣＨＦ（１２３３ｘｅＺ）、ＣＨ２ＦＣＣｌ＝ＣＦ２（１２３３ｘｃ）、トランスＣＨＦＣｌＣＦ＝ＣＦＨ（１２３３ｙｅＥ）、シスＣＨＦＣｌＣＦ＝ＣＦＨ（１２３３ｙｅＺ）、ＣＨ２ＣｌＣＦ＝ＣＦ２（１２３３ｙｃ）、及びこれらの２種以上の組合せからなる群から選ばれる少なくとも１種類のモノクロロトリフルオロプロペン
を含む組成物。
【請求項２】
前記モノクロロトリフルオロプロペンが組成物の５重量％〜９９重量％の量で、好ましくは５重量％〜９５重量％の量で組成物中に存在する、請求項１に記載の組成物。
【請求項３】
炭化水素、ハイドロフルオロカーボン（ＨＦＣ）、エーテル、アルコール、アルデヒド、ケトン、ギ酸メチル、ギ酸、水、トランス−１，２−ジクロロエチレン、二酸化炭素（ＣＯ２）、ジメトキシメタン（ＤＭＥ）、前記モノクロロトリフルオロプロペンと異なる第２のフルオロアルケン、及びこれらの任意の２種以上の組合せからなる群から選ばれる少なくとも１種類の追加の成分をさらに含む請求項１又は２に記載の組成物。
【請求項４】
請求項１〜３のいずれかに記載の組成物を含む発泡剤。
【請求項５】
前記少なくとも１種類の追加の成分が、イソペンタン、ｎ−ペンタン、シクロペンタン、ブタン、及びイソブタン、並びにこれらの組合せからなる群から選ばれる炭化水素である、請求項３に従属する場合の請求項４に記載の発泡剤。
【請求項６】
前記少なくとも１種類の追加の成分が、ギ酸メチル、水、トランス−１，２−ジクロロエチレン、二酸化炭素（ＣＯ２）、及びジメトキシメタン（ＤＭＥ）からなる群から選ばれるか、又は、２−エチル−１−ヘキサノールから選ばれるアルコールである、請求項３に従属する場合の請求項４に記載の発泡剤。
【請求項７】
請求項１〜３のいずれかに記載の組成物を含むエアゾール。
【請求項８】
前記少なくとも１種類の追加の成分が、少なくとも１種類のフルオロアルケン、少なくとも１種類のＨＦＣ、トランス−１，２−ジクロロエチレン、及びこれらの２種以上のこれらの組合せからなる群から選ばれる、請求項３に従属する場合の請求項７に記載のエアゾール。
【請求項９】
請求項１〜３のいずれかに記載の組成物を含む溶媒組成物。
【請求項１０】
前記少なくとも１種類の追加の成分が、少なくとも１種類のフルオロアルケン、少なくとも１種類のＨＦＣ、トランス−１，２−ジクロロエチレン、少なくとも１種類のＣ１〜Ｃ４アルコールから選ばれるアルコール、又はこれらの組み合わせからなる群から選ばれる、請求項３に従属する場合の請求項９に記載の溶媒組成物。
【請求項１１】
請求項１〜３のいずれかに記載の組成物を含む洗浄組成物。
【請求項１２】
請求項１〜３のいずれかに記載の組成物を含む噴霧可能な組成物。
【請求項１３】
噴射されるべき材料、好ましくは、消臭剤、香料、ヘアスプレー、洗浄溶媒、潤滑剤などの化粧物質、及び抗喘息薬などの医薬物質からなる群から選ばれる材料をさらに含む請求項１２に記載の噴霧可能な組成物。
【請求項１４】
パーソナルケア製品において使用されるための請求項１２又は１３に記載の噴霧可能な組成物。
【請求項１５】
民生用エアゾールである請求項１２〜１４のいずれかに記載の噴霧可能な組成物。
【請求項１６】
請求項１に記載の組成物を含む熱伝達流体。
【請求項１７】
少なくとも約５０重量％の前記少なくとも１種類のモノクロロトリフルオロプロペンを含む、請求項１６に記載の熱伝達流体。
【請求項１８】
潤滑剤、安定化剤、金属不動態化剤、腐食抑制剤、炎抑制剤、トリクロロフルオロメタン（ＣＦＣ−１１）、ジクロロジフルオロメタン（ＣＦＣ−１２）、ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、ジフルオロエタン（ＨＦＣ−１５２ａ）、１，１，１，２，３，３，３−ヘプタフルオロプロパン（ＨＦＣ−２２７ｅａ）、１，１，１，３，３，３−ヘキサフルオロプロパン（ＨＦＣ−２３６ｆａ）、１，１，１，３，３−ペンタフルオロプロパン（ＨＦＣ−２４５ｆａ）、１，１，１，３，３−ペンタフルオロブタン（ＨＦＣ−３６５ｍｆｃ）、水、ＣＯ２、及びこれらの２種以上の組合せからなる群から選ばれる少なくとも１種類の追加の成分をさらに含む、請求項１６又は１７に記載の熱伝達流体。。
【手続補正２】
【補正対象書類名】明細書
【補正対象項目名】０２００
【補正方法】変更
【補正の内容】
【０２００】
[00220]上記の実施例に基づくと、重要な冷却システム性能パラメータの多くは、Ｒ−１３４ａのような多くの従来用いられている冷媒に関するパラメータに比較的近接している。多くの現存する冷却システムはＲ−１３４ａなどのこれらの冷媒、又は他の冷媒用に設計されていることから、当業者は、システムに対する改造を比較的最小にして、Ｒ−１３４ａ又は同様の冷媒に対する代替として用いることができる低ＧＷＰ及び／又は低オゾン層破壊性の冷媒の実質的な利点を認識するだろう。幾つかの態様においては、本発明は、現存するシステムにおける冷媒を、システムの実質的な修正なしに、本発明の組成物、好ましくは少なくとも約９０重量％の上記に記載のＨＦＣＯ−１２３３化合物のそれぞれを含むか及び／又はこれから本質的になる組成物に置き換えることを含む、改造方法を提供することが意図される。幾つかの好ましい態様においては、置換工程は、本発明の冷媒を適応させるために、システムを実質的に再設計する必要がなく、装置の主要な部材を置換する必要がないと意味で、ドロップイン置換である。
本発明は以下の態様を含む。
［１］
（ａ）トランスＣＦ３ＣＨ＝ＣＣｌＨ（１２３３ｚｄＥ）、シスＣＦ３ＣＨ＝ＣＣｌＨ（１２３３ｚｄＺ）、トランスＣＨＦ２ＣＦ＝ＣＣｌＨ（１２３３ｙｄＥ）、シスＣＨＦ２ＣＦ＝ＣＣｌＨ（１２３３ｙｄＺ）、トランスＣＨＦ２ＣＨ＝ＣＣｌＦ（１２３３ｚｂＥ）、シスＣＨＦ２ＣＨ＝ＣＣｌＦ（１２３３ｚｂＺ）、トランスＣＨＦ２ＣＣｌ＝ＣＨＦ（１２３３ｘｅＥ）、シスＣＨＦ２ＣＣｌ＝ＣＨＦ（１２３３ｘｅＺ）、ＣＨ２ＦＣＣｌ＝ＣＦ２（１２３３ｘｃ）、トランスＣＨＦＣｌＣＦ＝ＣＦＨ（１２３３ｙｅＥ）、シスＣＨＦＣｌＣＦ＝ＣＦＨ（１２３３ｙｅＺ）、ＣＨ２ＣｌＣＦ＝ＣＦ２（１２３３ｙｃ）、ＣＦ２ＣｌＣＦ＝ＣＨ２（１２３３ｘｆ）、及びこれらの２種以上の組合せからなる群から選択される少なくとも１種類のモノクロロトリフルオロプロペン；及び
（ｂ）Ｃ１〜Ｃ４炭化水素、ハイドロフルオロカーボン（ＨＦＣ）、エーテル、アルコール、アルデヒド、ケトン、ギ酸メチル、ギ酸、水、トランス−１，２−ジクロロエチレン、二酸化炭素、ジメトキシメタン（ＤＭＥ）、前記第１のフルオロアルケンと異なる第２のフルオロアルケン、及びこれらの任意の２種以上の組合せからなる群から選択される少なくとも１種類の追加の成分；
を含む組成物。
［２］
前記モノクロロトリフルオロプロペンが組成物の約５重量％〜約９５重量％の量で組成物中に存在し、前記少なくとも１種類の追加の成分が組成物の約５重量％〜約９５重量％を構成する、［１］に記載の組成物を含む発泡剤。
［３］
前記少なくとも１種類のモノクロロトリフルオロプロペンが組成物の約２０重量％〜約９０重量％の量で組成物中に存在し、前記少なくとも１種類の追加の成分が、約１５重量％〜約８５重量％の、イソペンタン、ｎ−ペンタン、シクロペンタン、ブタン、及びイソブタン、並びにこれらの組合せからなる群から選択される少なくとも１種類の炭化水素を含む、［１］に記載の組成物を含む発泡剤。
［４］
前記少なくとも１種類の追加の成分が、ギ酸メチル、水、ＣＯ２、２−エチル−１−ヘキサノール、トランス−１，２−ジクロロエチレン、及びジメトキシメタンからなる群から選択される、［１］に記載の組成物を含む発泡剤。
［５］
前記モノクロロトリフルオロプロペンが、トランス−１，１，１−トリフルオロ−３−クロロ−プロペン（トランスＨＦＣＯ−１２３３ｚｄ）及びシス−１，１，１−トリフルオロ−３−クロロ−プロペン（シスＨＦＣＯ−１２３３ｚｄ）の組み合わせを約３０：７０〜約５：９５のシス：トランス重量比で含む、［１］に記載の組成物を含む発泡剤。
［６］
前記少なくとも１種類の追加の成分が、少なくとも１種類のフルオロアルケン、少なくとも１種類のＨＦＣ、トランス−１，２−ジクロロエチレン、及びこれらの２種以上の組合せからなる群から選択される、［１］に記載の組成物を含むエアゾール。
［７］
前記少なくとも１種類の追加の成分が、少なくとも１種類のフルオロアルケン、少なくとも１種類のＨＦＣ、少なくとも１種類のＣ１〜Ｃ４アルコール、トランス−１，２−ジクロロエチレン、及びこれらの組合せを含む、［１］に記載の組成物を含む溶媒。
［８］
（ａ）トランスＣＦ３ＣＨ＝ＣＣｌＨ（１２３３ｚｄＥ）、シスＣＦ３ＣＨ＝ＣＣｌＨ（１２３３ｚｄＺ）、トランスＣＨＦ２ＣＦ＝ＣＣｌＨ（１２３３ｙｄＥ）、シスＣＨＦ２ＣＦ＝ＣＣｌＨ（１２３３ｙｄＺ）、トランスＣＨＦ２ＣＨ＝ＣＣｌＦ（１２３３ｚｂＥ）、シスＣＨＦ２ＣＨ＝ＣＣｌＦ（１２３３ｚｂＺ）、トランスＣＨＦ２ＣＣｌ＝ＣＨＦ（１２３３ｘｅＥ）、シスＣＨＦ２ＣＣｌ＝ＣＨＦ（１２３３ｘｅＺ）、ＣＨ２ＦＣＣｌ＝ＣＦ２（１２３３ｘｃ）、トランスＣＨＦＣｌＣＦ＝ＣＦＨ（１２３３ｙｅＥ）、シスＣＨＦＣｌＣＦ＝ＣＦＨ（１２３３ｙｅＺ）、ＣＨ２ＣｌＣＦ＝ＣＦ２（１２３３ｙｃ）、ＣＦ２ＣｌＣＦ＝ＣＨ２（１２３３ｘｆ）、及びこれらの２種以上の組合せからなる群から選択される少なくとも１種類のモノクロロトリフルオロプロペン；及び
（ｂ）潤滑剤、安定化剤、金属不動態化剤、腐食抑制剤、炎抑制剤、トリクロロフルオロメタン（ＣＦＣ−１１）、ジクロロジフルオロメタン（ＣＦＣ−１２）、ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、ジフルオロエタン（ＨＦＣ−１５２ａ）、１，１，１，２，３，３，３−ヘプタフルオロプロパン（ＨＦＣ−２２７ｅａ）、１，１，１，３，３，３−ヘキサフルオロプロパン（ＨＦＣ−２３６ｆａ）、１，１，１，３，３−ペンタフルオロプロパン（ＨＦＣ−２４５ｆａ）、１，１，１，３，３−ペンタフルオロブタン（ＨＦＣ−３６５ｍｆｃ）、水、ＣＯ２、及びこれらの２種以上の組合せからなる群から選択される少なくとも１種類の追加の成分；
を含む組成物。
［９］
前記組成物が少なくとも約５０重量％の少なくとも１種類のモノクロロトリフルオロプロペンを含む、［８］に記載の組成物を含む熱伝達流体。
［１０］
物質を、トランスＣＦ３ＣＨ＝ＣＣｌＨ（１２３３ｚｄＥ）、シスＣＦ３ＣＨ＝ＣＣｌＨ（１２３３ｚｄＺ）、トランスＣＨＦ２ＣＦ＝ＣＣｌＨ（１２３３ｙｄＥ）、シスＣＨＦ２ＣＦ＝ＣＣｌＨ（１２３３ｙｄＺ）、トランスＣＨＦ２ＣＨ＝ＣＣｌＦ（１２３３ｚｂＥ）、シスＣＨＦ２ＣＨ＝ＣＣｌＦ（１２３３ｚｂＺ）、トランスＣＨＦ２ＣＣｌ＝ＣＨＦ（１２３３ｘｅＥ）、シスＣＨＦ２ＣＣｌ＝ＣＨＦ（１２３３ｘｅＺ）、ＣＨ２ＦＣＣｌ＝ＣＦ２（１２３３ｘｃ）、トランスＣＨＦＣｌＣＦ＝ＣＦＨ（１２３３ｙｅＥ）、シスＣＨＦＣｌＣＦ＝ＣＦＨ（１２３３ｙｅＺ）、ＣＨ２ＣｌＣＦ＝ＣＦ２（１２３３ｙｃ）、ＣＦ２ＣｌＣＦ＝ＣＨ２（１２３３ｘｆ）、及びこれらの２種以上の組合せからなる群から選択される少なくとも１種類のモノクロロトリフルオロプロペンと接触させることによって、少なくとも１種類のアルカロイドを含む物質を溶媒抽出することを含む溶媒抽出方法。
［１１］
トランスＣＦ３ＣＨ＝ＣＣｌＨ（１２３３ｚｄＥ）、シスＣＦ３ＣＨ＝ＣＣｌＨ（１２３３ｚｄＺ）、トランスＣＨＦ２ＣＦ＝ＣＣｌＨ（１２３３ｙｄＥ）、シスＣＨＦ２ＣＦ＝ＣＣｌＨ（１２３３ｙｄＺ）、トランスＣＨＦ２ＣＨ＝ＣＣｌＦ（１２３３ｚｂＥ）、シスＣＨＦ２ＣＨ＝ＣＣｌＦ（１２３３ｚｂＺ）、トランスＣＨＦ２ＣＣｌ＝ＣＨＦ（１２３３ｘｅＥ）、シスＣＨＦ２ＣＣｌ＝ＣＨＦ（１２３３ｘｅＺ）、ＣＨ２ＦＣＣｌ＝ＣＦ２（１２３３ｘｃ）、トランスＣＨＦＣｌＣＦ＝ＣＦＨ（１２３３ｙｅＥ）、シスＣＨＦＣｌＣＦ＝ＣＦＨ（１２３３ｙｅＺ）、ＣＨ２ＣｌＣＦ＝ＣＦ２（１２３３ｙｃ）、ＣＦ２ＣｌＣＦ＝ＣＨ２（１２３３ｘｆ）、及びこれらの２種以上の組合せからなる群から選択される少なくとも１種類のモノクロロトリフルオロプロペンから触媒の粒子を沈殿させることを含む、固体担体上に触媒を堆積させる方法。